(57)【要約】【課題】点検装置と吸着盤を別構成にすることで、大きな段差がある壁面であっても安全に吸引滑動させることができ、一部の吸着盤が動作不良になったときでも残りの吸着盤の吸引力で自走点検ロボットを壁面ｗに吸着維持させ、走行させる。【解決手段】壁面ｗとその内部を点検する点検装置ｓ、壁面ｗで作業する作業装置を収納した装置本体４と、チャンバー５内を負圧状態にしながら壁面ｗに吸着させつつ、走行機構３により走行する複数の吸着盤２と、装置本体４の周囲に取り付けられた、吸着盤２を可動保持する可動アーム６と、を備え、吸着盤２により平坦な壁面では吸引滑動させながら走行させ、段差がある壁面ｗでは可動アーム６により吸着盤２の位置を可変させ得る。【選択図】図２
2018070042.tif 000002
【特許請求の範囲】
【請求項１】
壁面（ｗ）に吸引滑動させながら、この壁面（ｗ）とその内部を点検又は壁面（ｗ）で作業する吸引滑動型自走点検ロボット（１）であって、
壁面（ｗ）とその内部を点検する点検装置（ｓ）、壁面（ｗ）で作業する作業装置を収納した装置本体（４）と、
チャンバー（５）内を負圧状態にしながら壁面（ｗ）に吸着させつつ、走行機構（３）により走行する複数の吸着盤（２）と、
前記装置本体（４）の周囲に取り付けられた、前記吸着盤（２）を可動保持する可動アーム（６）と、を備え、
前記吸着盤（２）により平坦な壁面（ｗ）では吸引滑動させながら走行させ、段差がある壁面（ｗ）では前記可動アーム（６）により該吸着盤（２）の位置を可変させ得るように構成した、ことを特徴とする吸引滑動型自走点検ロボット。
【請求項２】
前記装置本体（４）は、
内部に点検装置（ｓ）、作業装置を収納し得る筐体から成り、
前記筐体に、前記可動アーム（６）の後端部を、角度調節機構（２３）を介在して連結し、
前記可動アーム（６）の先端部を、前記吸着盤（２）に可動可能に連結した、ことを特徴とする請求項１の吸引滑動型自走点検ロボット。
【請求項３】
前記装置本体（４）の筐体の両側に、該装置本体（４）を挟むように前記吸着盤（２）をそれぞれ取り付けた、ことを特徴とする請求項１又は２の吸引滑動型自走点検ロボット。
【請求項４】
前記装置本体（４）の周囲に、複数の吸着盤（２）を可動アーム（６）により放射状に取り付けた、ことを特徴とする請求項１又は２の吸引滑動型自走点検ロボット。
【発明の詳細な説明】
【技術分野】
【０００１】
本発明は、高速道路、橋梁の橋桁などの高所にある壁面、金属面の損傷を点検するためにその壁面、金属面に吸着して移動させながら、コンクリートの壁面に生じたひび割れ、金属面の錆などの劣化を点検する吸引滑動型自走点検ロボットに関する。
【背景技術】
【０００２】
コンクリートなどの壁面に吸着させて走行させる吸引滑動型の自走装置は、コンクリートの内部変状部を診断する電磁ハンマー一体型磁歪センサを搭載している。この吸引滑動型の自走装置は、その他に非破壊検査装置、遠隔操作カメラ、汚染検査装置などを搭載して壁面等の点検にも利用されている。
【０００３】
表面が粗い壁面、凹凸がある壁面に対しては、吸引滑動型の自走装置にブラシ型の吸着装置を用いることが多い。吸着装置のブラシが凹凸面に追従し、隙間を洩れなく密封性を高めることにより吸着装置内の真空圧を維持でき、壁面等に具合よく吸着して走行させることができる。このような吸引滑動型の自走装置については、少子高齢化、人口減少による建設産業における労働力不足の懸念、インフラの老朽化に対応した効率的な維持管理及び更新の必要性、更に大規模災害への迅速な対応するために種々提案されている。
【０００４】
このような吸引滑動型の自走装置は、建造物の「維持管理」に利用されている。例えば、「橋梁」では、近接目視するとき、打音検査をするとき、更に点検者が移動するときに吸引滑動型の自走装置の利用が期待されている。「トンネル」では、近接目視するとき、打音検査をするとき、更に点検者が移動するときに、その利用が期待されている。更に、ダム、河川についてもその利用が期待されている。
【０００５】
また、吸引滑動型の自走装置は、災害時にもその利用が期待されている。土砂崩落、火山災書、トンネル崩落についての災書状況調査時の利用が期待されている。例えば、現場被害状況を把握するとき、土砂等を計測するとき、引火性ガス等の情報を取得するとき、トンネル崩落状態や規模を把握するときに、その利用が期待されている。
更に、土砂崩落、火山災害などの災書応急復旧時の利用が期待されている。例えば、土砂崩落等の応急復旧するとき、排水作業の応急対応するとき、情報伝達するとき、その利用が期待されている。
【０００６】
このようにその利用が期待されている吸引滑動型の自走装置に関する技術として、例えば特許文献１の特開２００５−４７４５１公報「自己吸着型走行装置」のように、吸着部側を除いた外周部を本体カバーで覆われた本体フレームと、本体フレームの進行方向両側に設けたクローラ又は車輪と、前記本体フレームに搭載した真空力発生用のブロアーと、前記本体フレームの下側中央部に装着したブラシ型吸着盤と、前記ブラシ型吸着盤の内側に設けた吸引空気濾過用のフィルタとからなる自己吸着型走行装置が提案されている。
【先行技術文献】
【特許文献】
【０００７】
【特許文献１】特開２００５−４７４５１公報
【発明の概要】
【発明が解決しようとする課題】
【０００８】
従来の吸引滑動型の自走装置は、壁面に大きなクラック、穴があいていると、そこから大量の空気を吸引することになり、吸着力が低下することがあり安定して走行させることができないという問題を有していた。
【０００９】
また、特許文献１の自己吸着型走行装置は、大きな段差を有する壁面では安定走行させることができないという問題を有していた。更に、柱などの柱状部分についても自己吸着させて走行させることができないという問題を有していた。
【００１０】
本発明は、かかる問題点を解決するために創案されたものである。すなわち、本発明の目的は、点検装置と吸着盤を別構成にすることで、大きな段差がある壁面であっても安全に吸引滑動させることができ、一部の吸着盤が動作不良になったときでも残りの吸着盤の吸引力で自走点検ロボットを壁面に吸着維持させ、走行させることができる吸引滑動型自走点検ロボットを提供することにある。
【課題を解決するための手段】
【００１１】
本発明は、壁面（ｗ）に吸引滑動させながら、この壁面（ｗ）とその内部を点検又は壁面（ｗ）で作業する吸引滑動型自走点検ロボット（１）であって、
壁面（ｗ）とその内部を点検する点検装置（ｓ）、壁面（ｗ）で作業する作業装置を収納した装置本体（４）と、
チャンバー（５）内を負圧状態にしながら壁面（ｗ）に吸着させつつ、走行機構（３）により走行する複数の吸着盤（２）と、
前記装置本体（４）の周囲に取り付けられた、前記吸着盤（２）を可動保持する可動アーム（６）と、を備え、
前記吸着盤（２）により平坦な壁面（ｗ）では吸引滑動させながら走行させ、段差がある壁面（ｗ）では前記可動アーム（６）により該吸着盤（２）の位置を可変させ得るように構成した、ことを特徴とする。
【００１２】
前記装置本体（４）は、
内部に点検装置（ｓ）、作業装置を収納し得る筐体から成り、
前記筐体に、前記可動アーム（６）の後端部を、角度調節機構（２３）を介在して連結し、
前記可動アーム（６）の先端部を、前記吸着盤（２）に可動可能に連結したものである。
前記装置本体（４）の筐体の両側に、該装置本体（４）を挟むように前記吸着盤（２）をそれぞれ取り付けたものである。
【００１３】
前記装置本体（４）の周囲に、複数の吸着盤（２）を可動アーム（６）により放射状に取り付けることができる。
【発明の効果】
【００１４】
上記構成では、可動アーム（６）が、装置本体（４）の周囲において壁面（ｗ）に対して垂直方向へ吸着盤（２）を移動させることができる。そこで、大きな段差がある壁面（ｗ）では、個々の可動アーム（６）の角度を可変すれば、自走点検ロボット（１）をその壁面（ｗ）に沿って走行させることができる。また、装置本体（４）に複数の吸着盤（２）が取り付けられているので、仮に１台の吸着盤（２）が動作不良になったときに、残りの吸着盤（２）の吸引力で自走点検ロボット（１）を壁面（ｗ）に吸着維持し、走行を可能にすることができる。
【００１５】
装置本体（４）に、これを挟むように吸着盤（２）を可動アーム（６）により取り付けたものでは、片側の吸着盤（２）を壁面（ｗ）に吸着させた状態で、反対側の吸着盤（２）を壁面（ｗ）から離し、可動アーム（６）の角度を可変して、壁面（ｗ）の別の位置に吸着させることができる。この動作を繰り返すことで、段差がある壁面（ｗ）に自走点検ロボット（１）を吸着させ、走行させることができる。同じく、天井面に段差がある壁面（ｗ）においても自走点検ロボット（１）を吸着させ、走行させることができる。
また、壁面（ｗ）の縁端部又は柱（ｐ）についても、縁端部又は柱（ｐ）を吸着盤（２）で挟むように、各可動アーム（６）の角度を設定すれば、自走点検ロボット（１）を吸着させ、走行させることができる。
【００１６】
装置本体（４）の周囲に、吸着盤（２）を可動アーム（６）により放射状に取り付けたものでも、個別に吸着盤（２）を壁面（ｗ）に吸着させた状態で、残りの吸着盤（２）を壁面（ｗ）から離し、可動アーム（６）の角度を可変して、壁面（ｗ）の別の位置に吸着させることができる。
【図面の簡単な説明】
【００１７】
【図１】実施例１の吸引滑動型自走点検ロボットの正面図である。
【図２】実施例１の吸引滑動型自走点検ロボットを示す平面図である。
【図３】実施例１の吸引滑動型自走点検ロボットを示す側面図である。
【図４】本発明の吸引滑動型自走点検ロボットに取り付ける吸着盤の一例を示す一部断面にした正面図である。
【図５】本発明の自走点検ロボットを吸引滑動させている壁面の状態を示し、（ａ）は壁面の正面図、（ｂ）は壁面の側断面図である。
【図６】本発明の自走点検ロボットを、曲面を有する壁面を走行させる状態を示す説明側面図である。
【図７】本発明の自走点検ロボットを壁面の段差を挟むように走行させる状態を示す説明側面図である。
【図８】本発明の自走点検ロボットを壁面の段差において階段を昇降するように走行させる状態を示す説明側面図であり、（ａ）は走行中の状態、（ｂ）は走行前方側の吸着盤を壁面から離す状態、（ｃ）は前進後吸着盤を壁面に吸着させる状態、（ｄ）は走行後方側の吸着盤を離す状態、（ｅ）は全体の吸着盤を壁面に吸着させ、前進させる状態である。
【図９】本発明の自走点検ロボットを天井面にある段差を走行させる状態を示す説明側面図であり、（ａ）は走行前方側の吸着盤を離し、前進後にこの走行前方側の吸着盤を吸着させる状態、（ｂ）は走行後に走行前方側の吸着盤を吸着させ、前進後にこの走行後方側の吸着盤を離し、走行前方側の吸着盤を前進させる状態、（ｃ）は走行前方側の吸着盤を前進させ、走行後方側の吸着盤を吸着させる状態である。
【図１０】本発明の自走点検ロボットについて壁面の縁部分、角柱を走行させる状態を示す説明平面図である。
【図１１】実施例２の装置本体の周囲に吸着盤を放射状に取り付けた自走点検ロボットを示す平面図である。
【発明を実施するための形態】
【００１８】
本発明の吸引滑動型自走点検ロボットは、壁面に吸引滑動させながら、この壁面とその内部を点検又は壁面で作業する自走点検ロボットであり、吸着盤により平坦な壁面では吸引滑動させながら走行させ、段差がある壁面では可動アームにより吸着盤の位置を可変させ、移動させ得るように構成した装置である。
【実施例１】
【００１９】
以下、本発明の実施の形態を図面を参照して説明する。
＜吸引滑動型自走点検ロボットの構成＞
図１は実施例１の吸引滑動型自走点検ロボットを示す正面図である。図２は実施例１の吸引滑動型自走点検ロボットを示す平面図である。図３は実施例１の吸引滑動型自走点検ロボットを示す側面図である。図４は吸引滑動型自走点検ロボットに取り付ける吸着盤の一例を示す一部断面にした正面図である。
本発明の吸引滑動型自走点検ロボット１は、高速道路、橋梁の橋桁などの高所にあるコンクリート壁面ｗ、金属面等の壁面ｗに吸引滑動させながら、そのコンクリートの壁面ｗに生じたひび割れ、金属面の錆などの劣化を点検し、更にその内部の異常について検査し、又は壁面ｗで補修、塗装など様々な作業をする装置である。本発明の自走点検ロボット１は、吸着盤２を負圧状態にして壁面ｗに吸着させながら、走行機構３により壁面ｗに沿って走行させる装置である。
【００２０】
自走点検ロボット１は、図示するように、壁面ｗとその内部を検査又は壁面ｗで作業する点検装置ｓと作業装置を収納する装置本体４と、チャンバー５内を負圧状態にしながら壁面ｗに吸着させつつ、走行車輪などの走行機構３により走行する複数の吸着盤２と、これらの吸着盤２を装置本体４の周囲に取り付ける可動アーム６と、を備えた装置である
【００２１】
装置本体４は、その内部に点検装置ｓ、作業装置を複数台収納する略直方体形状の筐体である。図示例では、６個の点検装置ｓを収納した状態を示し、周囲に４台の吸着盤２を備えた状態を示している。この点検装置ｓの個数、吸着盤２の台数もこの数に限定されない。検査の目的、場所に応じて検査装置の個数、吸着盤２の台数も異なるので、装置本体４の形状も変わるため、装置本体４はこの略直方体形状に限定されない。
【００２２】
装置本体４内には、点検装置ｓのみではなく、この点検装置ｓに必要な周辺機器、更に吸着盤２の動作を制御するマイコンなどを収納する。
【００２３】
＜吸着盤の構成＞
吸着盤２は、図４に示すように、略円筒形状のチャンバー５から成り、このチャンバー５にその使用に際しての壁面ｗ側に開けた開口７を有する。このチャンバー５内に、走行機構３を構成する２個の走行車輪８が並列するように設けられている。この走行車輪８は走行車輪差動機構９の両側にそれぞれ取り付けられている。この走行車輪差動機構９は細板形状の支持部材１０の中央に取り付けられている。この支持部材１０の両端部は、可動アーム６の先端部に取り付けられる、ヒンジ軸１１を有する。
【００２４】
チャンバー５は、その開口７の反対側は筒形状に成り、この内部に排気ポンプ１２が取り付けられている。この排気ポンプ１２は、このチャンバー５内を負圧にして、チャンバー５全体を壁面ｗに吸着させるものである。排気ポンプ１２はファンと駆動モータとからなる。排気ポンプ１２の電源は外部から取るようになっている。
【００２５】
＜吸着盤の走行機構の構成＞
走行車輪８を駆動させる走行車輪差動機構９は、旋回機構１４を介して支持部材１０の中央位置に取り付けられている。この旋回機構１４は、例えば、支持部材１０に取り付けられた旋回用歯車１５に，旋回モータ１６で駆動するピニオン１７を噛合させる機構である。この旋回モータ１６を回転駆動すると、走行車輪差動機構９は旋回用歯車１５で旋回するようになる。
【００２６】
走行車輪差動機構１３は、走行モータ１８の回転駆動力を両走行車輪８に異なるように回転させるようになっている。走行車輪差動機構９は、２個の走行車輪８が曲がるときに、内側と外側の車輪に速度差（回転数の差）が生じるが、それを吸収しつつ走行モータ１８の回転駆動力から同じトルクを振り分けて伝達する機構である。これにより安定した走行が可能になる。
【００２７】
走行車輪差動機構９に２個の走行車輪８が並列して取り付けられているので、その走行方向に傾斜するおそれがある。その結果、開口７の周縁部が強く壁面ｗに接触するおそれがある。この部分が強く接触すると自走点検ロボット１を円滑に走行させることができない場合がある。そこで、本発明では、チャンバー５の傾斜を防止するために補助輪１９を備えた。この補助輪１９により、チャンバー５が傾斜しないので、その周縁部のシール部材２０部分が、壁面ｗに均等に接触又は近づくようになる。そこで、この補助輪１９は、走行車輪差動機構９に補助輪用板材２１を介して２個取り付けられている。この補助輪１９は補助輪用板材２１に取り付けられ、走行車輪差動機構９により３６０度旋回可能になる。
【００２８】
なお、実施例１の吸引滑動型自走点検ロボット１では、装置本体４に取り付けられた可動アーム６に吸着盤２が取り付けられた構成であれば、吸着盤２は図示例の構成に限定されない。一般的な構成の吸着盤２、即ちチャンバー５の開口７周縁部にブラシを取り付けて密封性を高めている一般的な構造の吸着盤でもよい。
【００２９】
＜可動アームの構成＞
装置本体４の筐体の周囲において、１台の吸着盤２は２本の可動アーム６の先端部で挟まれるように可動可能に連結支持されている。可動アーム６の先端部は、吸着盤２のヒンジ軸１１に取り付けられる。図示例のように４台の吸着盤２は、同様に可動アーム６を介して装置本体４の筐体に取り付けられている。
【００３０】
この可動アーム６の後端部は、角度調節機構２３を介在して装置本体４（筐体）に連結されている。この角度調節機構２３は、例えば可動アーム６をウオームギヤにより回動させることができる。差動型ウオーム減速機を昇降モータで駆動し、可動アーム６を所定の角度に調節できるようにする。
【００３１】
なお、自走点検ロボット１を吸引滑動させる際に、壁面ｗは平坦ではないので、若干の凹凸は、吸着盤２のシール部材２０部分で吸収する。シール部材２０部分で吸収できない程度の凹凸がある場合もある。そこで、この角度調節機構２３にはいわゆる「遊び」と称される程度の可動アーム６の回動を吸収する、ばね等の弾性部材を可動アーム６の後端部に取り付けることが好ましい。
【００３２】
＜自走点検ロボットの基本的な動作説明＞
図５は本発明の自走点検ロボットを吸引滑動させている壁面の状態を示し、（ａ）は壁面の正面図、（ｂ）は壁面の側断面図である。
このように構成された本発明の自走点検ロボット１は、各吸着盤２により密封性を低下させず安全に壁面ｗを吸引滑動することができる。この自走点検ロボット１の装置本体４に搭載した点検装置ｓ、作業装置を用いてこの壁面ｗとその内部を点検し、又は壁面ｗで作業することができる。可動アーム６が、装置本体４の周囲において壁面ｗに対して垂直方向へ吸着盤２を移動させることで、大きな段差がある壁面ｗでは、個々の可動アーム６の角度を可変すれば、自走点検ロボット１をその壁面ｗに沿って走行させることができる。
【００３３】
また、本発明の自走点検ロボット１は、装置本体４に複数の吸着盤２が取り付けられているので、仮に１台の吸着盤２が動作不良になったときに、残りの吸着盤２の吸引力で自走点検ロボット１を壁面ｗに吸着維持させ、走行を可能にすることができる。
【００３４】
＜吸引滑動走行状態の説明１＞
図６は本発明の自走点検ロボットを、曲面を有する壁面を走行させる状態を示す説明側面図である。
本発明の自走点検ロボット１は、平坦な壁面ｗを走行、昇降させるときは勿論のこと、トンネルのように曲面を有する壁面ｗについても、安全に走行させることができる。例えば、図示するように、装置本体４の可動アーム６は、吸着盤２のヒンジ軸１１に可動可能に取り付けられるので、このヒンジ軸１１を回動中心にして吸着盤２の吸着面はその方向を自由に変えられる。トンネル内のような曲面を有する壁面ｗにも密着させることができ、自走点検ロボット１をその壁面ｗに沿って走行させることができる。
【００３５】
＜吸引滑動走行状態の説明２＞
図７は本発明の自走点検ロボットを壁面の段差を挟むように走行させる状態を示す説明側面図である。
本発明の自走点検ロボット１は、平坦な壁面ｗ、曲面を有する壁面ｗ以外に段差があるような壁面ｗについても、安全に走行、昇降させることができる。この説明２の図示例にあるように、段差を挟むように自走点検ロボット１を走行させることができる。例えば、装置本体４の可動アーム６は、装置本体４の周囲において壁面ｗに対してその垂直方向へ吸着盤２を移動させることができる。そこで、大きな段差がある壁面ｗでも、個々の可動アーム６の回動角度を異なるように設定すれば、自走点検ロボット１をその壁面ｗの段差を挟むように走行させることができる。
【００３６】
＜吸引滑動走行状態の説明３＞
図８は自走点検ロボットを壁面の段差において階段を昇降するように走行させる状態を示す説明側面図であり、（ａ）は走行中の状態、（ｂ）は走行前方側の吸着盤を壁面から離す状態、（ｃ）は前進後吸着盤を壁面に吸着させる状態、（ｄ）は走行後方側の吸着盤を離す状態、（ｅ）は全体の吸着盤を壁面に吸着させ、前進させる状態である。
更に、本発明の自走点検ロボット１は、複数の吸着盤２と可動アーム６を利用して、壁面ｗに複数の段差がある状況であっても、階段を昇降するように吸着盤２を吸着させ、走行、昇降させることができる。各吸着盤２は可動アーム６により装置本体４を挟むように取り付けているので、走行後方側の吸着盤２を壁面ｗに吸着させた状態で、走行前方側の吸着盤２を壁面ｗから離すことができる。逆に、走行前方側の吸着盤２を壁面ｗに吸着させた状態で、走行後方側の吸着盤２を壁面ｗから離すことができる。このとき、走行後方側の吸着盤２のみでも自走点検ロボット１全体の重量を支持できる程度の吸引力を、残りの吸着盤２が有するように排気ポンプ１２を稼働させる。
【００３７】
先ず、図８（ａ）に示すように、自走点検ロボット１を壁面ｗの段差の近くまで走行させる。
次に、図８（ｂ）に示すように、走行後方側の吸着盤２を壁面ｗに吸着させた状態で、走行前方側の吸着盤２を壁面ｗから離し、可動アーム６の角度を前方の段差の位置に合わせるように可変する。この状態で自走点検ロボット１を段差に更に近づける。
図８（ｃ）に示すように、走行前方側の吸着盤２を前方の段差に吸着させる。走行後方側の吸着盤２を壁面ｗから離し、可動アーム６の角度を前方の段差の位置に合わせるように可変する。このとき一方（走行前方側）の吸着盤２の吸引力が自走点検ロボット１全体の重量を支持できる程度に高まったら、他方（走行後方側）の吸着盤２を壁面ｗから離すことは勿論である。
【００３８】
図８（ｄ）に示すように、走行後方側の吸着盤２の可動アーム６の角度を前方の段差の位置に合わせるように可変して、自走点検ロボット１を前進させる。
【００３９】
最後に、図８（ｅ）に示すように、走行前方側の吸着盤２を壁面ｗの別の位置に吸着させる。走行前方側と走行後方側の吸着盤２が吸着したら、自走点検ロボット１を前進させる。
なお、段差が階段状になるときは、この動作を繰り返すことで、段差がある壁面ｗに自走点検ロボット１を吸引滑動走行させることができる。
また、図示例では、前進方向が右側に飛び出した状態の段差について説明したが、この逆に前進方向が左側に飛び出した状態の場合でも、可動アーム６の角度の合わせる方向が異なるだけ、自走点検ロボット１を吸引滑動走行させることができる。
【００４０】
＜吸引滑動走行状態の説明４＞
図９は自走点検ロボットを天井面にある段差を走行させる状態を示す説明側面図であり、（ａ）は走行前方側の吸着盤を離し、前進後にこの走行前方側の吸着盤を吸着させる状態、（ｂ）は走行後に走行前方側の吸着盤を吸着させ、前進後にこの走行後方側の吸着盤を離し、走行前方側の吸着盤を前進させる状態、（ｃ）は走行前方側の吸着盤を前進させ、走行後方側の吸着盤を吸着させる状態である。
本発明の自走点検ロボット１は、天井面（壁面ｗ）に複数の段差がある状況であっても、図８に示した状況と同様に、階段を昇降するように複数の吸着盤２を天井面（壁面ｗ）に吸着させ、走行させることができる。
先ず、図９（ａ）に示すように、走行前方側の吸着盤２を離し、前進後にこの走行前方側の吸着盤２を吸着させる。
次に、図９（ｂ）に示すように、走行後に走行前方側の吸着盤２を吸着させ、前進後にこの走行後方側の吸着盤２を離し、走行前方側の吸着盤２を前進させる。
最後に、図９（ｃ）に示すように、走行前方側の吸着盤２を前進させ、走行後方側の吸着盤２を吸着させる。
【００４１】
但し、自走点検ロボット１を天井面（壁面ｗ）を走行、昇降させるときは、上下方向の壁面ｗの走行に比較して、落下のおそれが高くなるので、走行前方側の吸着盤２を壁面ｗから離す際、走行後方側の吸着盤２を壁面ｗから離す際に、残りの吸着盤２の吸引力が自走点検ロボット１全体の重量を支持できる程度に高まっているか否かを厳密に測定する必要がある。そのために、各吸着盤２（チャンバー５）内に、圧力測定器を備えることが好ましい。
【００４２】
＜吸引滑動走行状態の説明５＞
図１０は自走点検ロボットについて壁面の縁部分、角柱を走行させる状態を示す説明平面図である。
本発明の自走点検ロボット１は、壁面ｗの縁部分又は柱ｐのような上下方向に細い点検対象物についても、安全に走行、昇降させることができる。図示するように、可動アーム６の角度を大きく可変して、吸着盤２で壁面ｗの縁部分又は柱ｐの２面を挟むように吸着させる。この状態で装置本体４を昇降させることで、壁面ｗの縁部分又は柱ｐの点検、補修作業などが実施できる。
【００４３】
自走点検ロボット１を走行させる得る壁面ｗの縁部分又は角柱ｐに限定されず、図に示すように、円柱又は曲率の短い曲面を走行させることもできる。例えば、図示するように、装置本体４を可動アーム６の角度を可変して、吸着盤２で円柱（柱ｐ）の２面（２ヶ所）に吸着させる。この状態で装置本体４を昇降させることで、柱ｐの点検、補修作業などが実施できる。
【実施例２】
【００４４】
＜実施例２の自走点検ロボットの構成＞
図１１は実施例２の装置本体の周囲に吸着盤を放射状に取り付けた自走点検ロボットを示す平面図である。
本発明の自走点検ロボット１の構成は、実施例１のように、装置本体４を２台の吸着盤２で挟む構成の計４台の吸着盤２の構成に限定されない。実施例２の自走点検ロボット１は、図示するように、四角形状又は円形状の装置本体４の周囲に、吸着盤２を可動アーム６により放射状に取り付けた構成にした。
【００４５】
実施例２の自走点検ロボット１では、装置本体４の周囲において個別に吸着盤２を壁面ｗに吸着させた状態で、壁面において凹凸に変化が大きい場合に適している。更に、装置本体４に大きな検査装置ｓを搭載することが可能である。
【００４６】
＜自走点検ロボットの変形例＞
本発明の自走点検ロボット１の構成は、検査装置ｓ、作業装置を有する装置本体４を複数の吸着盤２を可動アーム６により可動支持する構成であれば、実施例１又は実施例２の構成に限定されない。例えば、吸着盤２は２台、３台、５台、６台と点検、目的、壁面ｗの状況に応じて適宜組み合わせることができる。
【００４７】
なお、本発明は、点検装置ｓと吸着盤２を別構成にすることで、大きな段差がある壁面ｗであっても安全に吸引滑動させることができ、一部の吸着盤２が動作不良になったときでも残りの吸着盤２の吸引力で自走点検ロボット１を壁面ｗに吸着維持させ、走行させることができれば、上述した発明の実施の形態に限定されず、本発明の要旨を逸脱しない範囲で種々変更できることは勿論である。
【産業上の利用可能性】
【００４８】
本発明は、高速道路、橋梁の橋桁などの高所にある壁面、金属面に限定されず、その他の損傷を点検し、補修する際に利用することができる。
【符号の説明】
【００４９】
１  吸引滑動型自走点検ロボット
２  吸着盤
３  走行機構
４  装置本体
５  チャンバー
６  可動アーム
２３  角度調節機構
ｓ  点検装置
ｗ  壁面
【図１】
2018070042.tif 000003
【図２】
2018070042.tif 000004
【図３】
2018070042.tif 000005
【図４】
2018070042.tif 000006
【図５】
2018070042.tif 000007
【図６】
2018070042.tif 000008
【図７】
2018070042.tif 000009
【図８】
2018070042.tif 000010
【図９】
2018070042.tif 000011
【図１０】
2018070042.tif 000012
【図１１】
2018070042.tif 000013